(57)【要約】【課題】磁気ヘッドによる磁気データの読取、記録精度を高めることが可能で、かつ、製造工程を簡素化することが可能なカードリーダの磁気ヘッド保持機構を提供する。【解決手段】磁気ヘッド保持機構１は、磁気ヘッド３と、磁気ヘッド３を保持するヘッド保持板４と、ヘッド保持板４を支持する第１支持部５および第２支持部６とを備えており、カード２の通過方向Ｘにおいて、磁気ヘッド３と第２支持部６と第１支持部５とは、この順番に配置されている。第１支持部５は、カード２の通過方向Ｘを揺動軸の軸方向とする磁気ヘッド３の揺動が可能となるようにヘッド保持板４を支持し、第２支持部６は、カード２に摺接していないときの磁気ヘッド３の先端部３ａが、対向部材９と略平行になるようにヘッド保持板４を支持している。【選択図】図１
2011204320.tif 000002
【特許請求の範囲】
【請求項１】
カードに摺接して前記カードに記録された磁気データの読取および／または前記カードへの磁気データの記録を行う磁気ヘッドと、前記磁気ヘッドを保持するヘッド保持板と、前記ヘッド保持板を支持する第１支持部および第２支持部とを備え、
前記カードの通過方向において、前記磁気ヘッドと前記第２支持部と前記第１支持部とはこの順番で配置され、
前記磁気ヘッドは、磁気ギャップが形成され前記カードに摺接する先端部を備え、
前記第１支持部は、前記カードの通過方向を揺動軸の軸方向とする前記磁気ヘッドの揺動が可能となるように前記ヘッド保持板を支持し、
前記第２支持部は、前記カードに摺接していないときの前記先端部が、前記先端部に対向配置される対向部材と略平行になるように前記ヘッド保持板を支持していることを特徴とするカードリーダの磁気ヘッド保持機構。
【請求項２】
前記磁気ヘッドと前記第１支持部と前記第２支持部とは、前記カードの通過方向において、略一直線上に配置されていることを特徴とする請求項１記載のカードリーダの磁気ヘッド保持機構。
【請求項３】
前記第１支持部および前記第２支持部は、前記磁気ヘッドの前記先端部と前記対向部材との対向方向に前記ヘッド保持板が移動可能になるように、かつ、前記磁気ヘッドの前記先端部と前記対向部材との対向方向に直交する方向における前記ヘッド保持板の移動を規制するように、前記ヘッド保持板を支持していることを特徴とする請求項１または２に記載のカードリーダの磁気ヘッド保持機構。
【請求項４】
前記磁気ヘッドが前記カードに摺接していないときの前記第２支持部と前記ヘッド保持板との接触面積は、前記第１支持部と前記ヘッド保持板との接触面積よりも広くなっていることを特徴とする請求項１から３のいずれかに記載のカードリーダの磁気ヘッド保持機構。
【請求項５】
前記ヘッド保持板は、前記第１支持部および前記第２支持部に接触可能な平板状の被支持平面部を備え、
前記第２支持部は、前記被支持平面部に接触可能な平面状の第２支持面を備えることを特徴とする請求項４記載のカードリーダの磁気ヘッド保持機構。
【請求項６】
前記磁気ヘッドの前記先端部と前記対向部材とが接触する方向へ前記ヘッド保持板を付勢する付勢部材を備えることを特徴とする請求項１から５のいずれかに記載のカードリーダの磁気ヘッド保持機構。
【請求項７】
前記ヘッド保持板は、前記第１支持部および前記第２支持部に接触可能な平板状の被支持平面部と、前記被支持平面部に直交する平板状のヘッド固定平面部とを備えるとともに、前記カードの通過方向から見たときに略Ｌ形状となるように形成され、
前記ヘッド固定平面部に前記磁気ヘッドが固定されていることを特徴とする請求項１から６のいずれかに記載のカードリーダの磁気ヘッド保持機構。
【請求項８】
前記第１支持部は、前記ヘッド保持板に形成された貫通孔に挿通される第１支持ピンと、前記第１支持ピンが固定されるとともに前記ヘッド保持板が接触可能な第１接触部とを備え、
前記第２支持部は、前記ヘッド保持板に形成された貫通孔に挿通される第２支持ピンと、前記第２支持ピンが固定されるとともに前記ヘッド保持板が接触可能な第２接触部とを備え、
前記第１接触部と前記第２接触部とが共通のフレームに形成されていることを特徴とする請求項１から７のいずれかに記載のカードリーダの磁気ヘッド保持機構。
【請求項９】
請求項１から８のいずれかに記載のカードリーダの磁気ヘッド保持機構を備えることを特徴とするカードリーダ。
【発明の詳細な説明】
【技術分野】
【０００１】
本発明は、カードに対する磁気データの読取および／または磁気データの記録を行う磁気ヘッドを有するカードリーダの磁気ヘッド保持機構、および、この磁気ヘッド保持機構を備えるカードリーダに関する。
【背景技術】
【０００２】
従来、カードリーダに用いられる磁気ヘッドの保持機構として、磁気ヘッドを保持するヘッド保持板と、カードの進行方向の２箇所でヘッド支持板を支持する２個の支持部とを備える磁気ヘッド保持機構が知られている（たとえば、特許文献１参照）。特許文献１に記載の磁気ヘッド保持機構では、図６（Ｂ）に示すように、ヘッド保持板１０１は、カード１０２の進行方向から見たときの形状が略Ｌ形状となるように形成されており、カード１０２の表面に略平行な第１平面部１０１ａと、第１平面部１０１ａに直交する第２平面部１０１ｂとを備えている。磁気ヘッド１０３は、第２平面部１０１ｂの一端側に固定されており、磁気ギャップが形成される磁気ヘッド１０３の先端部（図６の下端部）は、パッドローラ１０４と対向している。なお、図６（Ｂ）では、図６（Ａ）のＨ−Ｈ方向からヘッド保持機構を図示している。
【０００３】
また、特許文献１に記載の磁気ヘッド保持機構は、第１平面部１０１ａを付勢する板バネ１０５を備えており、板バネ１０５は、磁気ヘッド１０３の先端部がパッドローラ１０４側へ付勢されるように、第１平面部１０１ａを付勢している。支持部１０６は、第１平面部１０１ａに形成される貫通孔に挿通される軸部１０６ａと、第１平面部１０１ａが接触する平面状の接触面１０６ｂが形成される接触部１０６ｃとを備えている。
【０００４】
接触面１０６ｂは、カード１０２の幅方向の幅が狭くカード１０２の進行方向の幅が広い長方形状に形成されている。そのため、ヘッド保持板１０１に固定された磁気ヘッド１０３は、カード１０２の通過方向を揺動軸の軸方向とする揺動（ローリング）が可能となっており、磁気ヘッド１０３とパッドローラ１０４との間を通過するカード１０２が曲がっていても、磁気ヘッド１０３はカード１０２の曲がりに追従する。したがって、磁気ヘッド１０３が摺接するカード１０２に記録された磁気データの適切な読取等が可能になる。なお、磁気ヘッド１０３の端子には、ＦＰＣ（フレキシブルプリント基板）１０７が接続されている。
【先行技術文献】
【特許文献】
【０００５】
【特許文献１】特許第３６０２３７９号公報
【発明の概要】
【発明が解決しようとする課題】
【０００６】
磁気ヘッド１０３による磁気データの読取、記録精度を高めるためには、磁気ヘッド１０３とパッドローラ１０４との間にカード１０２が突入した直後の磁気ヘッド１０３のばたつきを抑えて、磁気ヘッド１０３とパッドローラ１０４との間にカード１０２が突入した直後から、磁気ヘッド１０３の先端部をカード１０２に適切に追従させながら摺接させることが好ましい。そのため、カード１０２に摺接する前の磁気ヘッド１０３の先端部とパッドローラ１０４とは、略平行になっていることが好ましい。
【０００７】
しかしながら、特許文献１に記載の磁気ヘッド支持機構では、接触面１０６ｂは、カード１０２の幅方向の幅が狭くカード１０２の進行方向の幅が広い長方形状に形成されている。また、この磁気ヘッド支持機構では、ヘッド保持板１０１は、カード１０２の進行方向から見たときの形状が略Ｌ形状となるように形成されている。そのため、第２平面部１０１ｂの自重で、パッドローラ１０４に対して、磁気ヘッド１０３の先端部が図６（Ｂ）の矢印Ｖの方向へ傾きやすくなる。したがって、従来は、ＦＰＣ１０７の剛性（腰）を利用して、磁気ヘッド１０３の先端部とパッドローラ１０４とが略平行になるように、磁気ヘッド１０３の姿勢を保っている。具体的には、磁気ヘッド保持機構の組立時に、磁気ヘッド１０３の先端部とパッドローラ１０４とが略平行になるように、ＦＰＣ１０７の引き回しを微調整している。そのため、従来は、磁気ヘッド保持機構の製造工程が煩雑になっている。
【０００８】
そこで、本発明の課題は、磁気ヘッドによる磁気データの読取、記録精度を高めることが可能で、かつ、製造工程を簡素化することが可能なカードリーダの磁気ヘッド保持機構、および、この磁気ヘッド保持機構を備えるカードリーダを提供することにある。
【課題を解決するための手段】
【０００９】
上記の課題を解決するため、本発明のカードリーダの磁気ヘッド保持機構は、カードに摺接してカードに記録された磁気データの読取および／またはカードへの磁気データの記録を行う磁気ヘッドと、磁気ヘッドを保持するヘッド保持板と、ヘッド保持板を支持する第１支持部および第２支持部とを備え、カードの通過方向において、磁気ヘッドと第２支持部と第１支持部とは、この順番で配置され、磁気ヘッドは、磁気ギャップが形成されカードに摺接する先端部を備え、第１支持部は、カードの通過方向を揺動軸の軸方向とする磁気ヘッドの揺動が可能となるようにヘッド保持板を支持し、第２支持部は、カードに摺接していないときの磁気ヘッドの先端部が、この先端部に対向配置される対向部材と略平行になるようにヘッド保持板を支持していることを特徴とする。
【００１０】
本発明のカードリーダの磁気ヘッド保持機構は、磁気ヘッドを保持するヘッド保持板を支持する第１支持部および第２支持部を備えており、第２支持部は、カードに摺接していないときの磁気ヘッドの先端部が対向部材と略平行になるようにヘッド保持板を支持している。そのため、磁気ヘッド保持機構の組立時に、磁気ヘッドの先端部と対向部材とを略平行にするための特別な調整をしなくても、カードに摺接する前の磁気ヘッドの先端部と対向部材とを略平行にすることが可能になる。したがって、本発明では、磁気ヘッド保持機構の製造工程を簡素化しつつ、磁気ヘッドの先端部がカードに摺接し始めた直後から磁気ヘッドの先端部をカードに適切に追従させることが可能になり、磁気ヘッドによる磁気データの読取、記録精度を高めることが可能になる。
【００１１】
また、本発明では、カードの通過方向において、磁気ヘッドと第２支持部と第１支持部とがこの順番で配置されており、第１支持部は、カードの通過方向を揺動軸の軸方向とする磁気ヘッドの揺動が可能となるようにヘッド保持板を支持している。そのため、磁気ヘッドの先端部がカードに摺接しているときに、第２支持部の、ヘッド保持板を支持する箇所からヘッド保持板を浮かせて、カードの通過方向を揺動軸の軸方向として磁気ヘッドの揺動させることが可能になる。したがって、カードに摺接していないときの磁気ヘッドの先端部が対向部材と略平行になるように第２支持部がヘッド保持板を支持していても、磁気ヘッドの先端部がカードに摺接しているときには、第２支持部の影響を排除して、磁気ヘッドをカードに適切に追従させることが可能になる。したがって、本発明では、磁気ヘッドが摺接するカードが曲がっていても、磁気データの読取、記録時には、曲がりカードに磁気ヘッドを追従させて、磁気ヘッドによる磁気データの読取、記録精度を高めることが可能になる。
【００１２】
また、本発明では、カードに摺接する前の磁気ヘッドの先端部と対向部材とを略平行にすることが可能になるため、磁気ヘッドの先端部がカードに摺接し始める際の、磁気ヘッドへのカードの片当たりを抑制することが可能になる。したがって、本発明では、磁気ヘッドの偏摩耗等の不具合を防止することが可能になる。
【００１３】
本発明において、たとえば、磁気ヘッドと第１支持部と第２支持部とは、カードの通過方向において、略一直線上に配置されている。また、本発明において、たとえば、第１支持部および第２支持部は、磁気ヘッドの先端部と対向部材との対向方向にヘッド保持板が移動可能になるように、かつ、磁気ヘッドの先端部と対向部材との対向方向に直交する方向におけるヘッド保持板の移動を規制するように、ヘッド保持板を支持している。
【００１４】
本発明において、磁気ヘッドがカードに摺接していないときの第２支持部とヘッド保持板との接触面積は、第１支持部とヘッド保持板との接触面積よりも広くなっていることが好ましい。また、この場合には、ヘッド保持板は、第１支持部および第２支持部に接触可能な平板状の被支持平面部を備え、第２支持部は、被支持平面部に接触可能な平面状の第２支持面を備えることが好ましい。このように構成すると、比較的簡易な構成によって、第２支持部で、カードに摺接していないときの磁気ヘッドの先端部が対向部材と略平行になるようにヘッド保持板を支持することが可能になる。
【００１５】
本発明において、カードリーダの磁気ヘッド保持機構は、磁気ヘッドの先端部と対向部材とが接触する方向へヘッド保持板を付勢する付勢部材を備えることが好ましい。このように構成すると、付勢部材の付勢力を利用して、第２支持部の、ヘッド保持板を支持する箇所へヘッド保持板を確実に接触させることが可能になる。したがって、カードに摺接する前の磁気ヘッドの先端部と対向部材とを略平行に維持しやすくなる。
【００１６】
本発明において、ヘッド保持板は、たとえば、第１支持部および第２支持部に接触可能な平板状の被支持平面部と、被支持平面部に直交する平板状のヘッド固定平面部とを備えるとともに、カードの通過方向から見たときに略Ｌ形状となるように形成され、ヘッド固定平面部に磁気ヘッドが固定されている。この場合には、ヘッド固定平面部の自重で、カードに摺接する前の磁気ヘッドの先端部が対向部材に対して傾きやすくなるが、本発明では、磁気ヘッドの傾きを抑制して、カードに摺接する前の磁気ヘッドの先端部と対向部材とを略平行にすることが可能になる。
【００１７】
本発明において、第１支持部は、ヘッド保持板に形成された貫通孔に挿通される第１支持ピンと、第１支持ピンが固定されるとともにヘッド保持板が接触可能な第１接触部とを備え、第２支持部は、ヘッド保持板に形成された貫通孔に挿通される第２支持ピンと、第２支持ピンが固定されるとともにヘッド保持板が接触可能な第２接触部とを備え、第１接触部と第２接触部とが共通のフレームに形成されていることが好ましい。このように構成すると、形状の異なる第１接触部と第２接触部とがフレームに形成されているため、第１支持ピンおよび第２支持ピンとして同じ形状の支持ピンを使用することが可能になる。また、第１接触部と第２接触部とが共通のフレームに形成されている。したがって、磁気ヘッド保持機構の部品点数を削減することが可能になり、磁気ヘッド保持機構の構成を簡素化するとともに、磁気ヘッド保持機構の製造工程での煩雑さを低減することが可能になる。
【００１８】
本発明の磁気ヘッド保持機構は、カードリーダに用いることができる。このカードリーダでは、磁気ヘッドによる磁気データの読取、記録精度を高めることが可能で、かつ、製造工程を簡素化することが可能になる。
【発明の効果】
【００１９】
以上のように、本発明のカードリーダの磁気ヘッド保持機構、および、カードリーダでは、磁気ヘッドによる磁気データの読取、記録精度を高めることが可能で、かつ、製造工程を簡素化することが可能になる。
【図面の簡単な説明】
【００２０】
【図１】本発明の実施の形態にかかるカードリーダの磁気ヘッド保持機構の側面図であり、（Ａ）は磁気ヘッドがカードに摺接する前の状態を示す図、（Ｂ）は磁気ヘッドがカードに摺接している状態を示す図である。
【図２】図１のＥ−Ｅ方向から磁気ヘッド保持機構を示す図である。
【図３】（Ａ）は図１のＦ−Ｆ方向から第１支持部を示す図、（Ｂ）は図１のＧ−Ｇ方向から第２支持部を示す図である。
【図４】図１に示す磁気ヘッド保持機構のカードリーダへの搭載例を説明するための斜視図である。
【図５】図４に示すフレーム、第１支持ピンおよび第２支持ピンを抜き出して示す斜視図である。
【図６】（Ａ）は従来技術にかかるカードリーダの磁気ヘッド保持機構の側面図であり、（Ｂ）は（Ａ）のＨ−Ｈ方向から磁気ヘッド保持機構を示す図である。
【発明を実施するための形態】
【００２１】
以下、図面を参照しながら、本発明の実施の形態を説明する。
【００２２】
（カードリーダの磁気ヘッド保持機構の構成）
図１は、本発明の実施の形態にかかるカードリーダの磁気ヘッド保持機構１の側面図であり、（Ａ）は磁気ヘッド３がカード２に摺接する前の状態を示す図、（Ｂ）は磁気ヘッド３がカード２に摺接している状態を示す図である。図２は、図１のＥ−Ｅ方向から磁気ヘッド保持機構１を示す図である。図３（Ａ）は、図１のＦ−Ｆ方向から第１支持部５を示す図、図３（Ｂ）は、図１のＧ−Ｇ方向から第２支持部６を示す図である。
【００２３】
本形態のカードリーダの磁気ヘッド保持機構１（以下、「磁気ヘッド保持機構１」とする。）は、カード２に記録された磁気データの読取および／またはカード２への磁気データの記録を行うカードリーダに搭載されて使用されるものである。磁気ヘッド保持機構１が搭載されるカードリーダでは、図１のＸ方向にカード２が通過する。すなわち、Ｘ方向がカード２の通過方向である。また、Ｘ方向に直交する図１のＹ方向は、カードリーダに取り込まれたカード２の幅方向であり、Ｘ方向とＹ方向とに直交する図１のＺ方向は、カードリーダに取り込まれたカード２の厚さ方向である。なお、磁気ヘッド保持機構１が搭載されるカードリーダでは、たとえば、図１の右側にカード２が挿入されるカード挿入口が配置されている。
【００２４】
カード２は、たとえば、厚さが０．７〜０．８ｍｍ程度の矩形状の塩化ビニール製のカードである。このカード２の表面には、磁気データが記録される磁気ストライプ（図示省略）が形成されている。なお、カード２は、厚さが０．１８〜０．３６ｍｍ程度のＰＥＴ（ポリエチレンテレフタレート）カードや、所定の厚さの紙カード等であっても良い。
【００２５】
磁気ヘッド保持機構１は、カード２に摺接してカード２に記録された磁気データの読取および／またはカード２への磁気データの記録を行う磁気ヘッド３と、磁気ヘッド３を保持するヘッド保持板４と、ヘッド保持板４を支持する第１支持部５および第２支持部６とを備えている。磁気ヘッド３と第２支持部６と第１支持部５とは、カード２の通過方向において、この順番で配置されている。また、磁気ヘッド３と第２支持部６と第１支持部５とは、カード２の通過方向において、略一直線上に配置されている。
【００２６】
磁気ヘッド３の端子には、ＦＰＣ８が接続されている。磁気ヘッド３の先端部（図１の下端部）３ａには、磁気ギャップが形成されており、磁気ヘッド３は、先端部３ａがカード２に摺接するように配置されている。磁気ヘッド保持機構１が搭載されるカードリーダでは、磁気ヘッド３の先端部３ａに対向するように、対向部材としてのパッドローラ９が配置されている。先端部３ａとパッドローラ９とは、Ｚ方向で対向配置されている。なお、以下の説明では、磁気ヘッド３が配置される側を「上」側とし、パッドローラ９が配置される側を「下」側とする。
【００２７】
ヘッド保持板４は、第１支持部５および第２支持部６に接触可能な平板状の被支持平面部４ａと、磁気ヘッド３が固定される平板状のヘッド固定平面部４ｂとを備えている。被支持平面部４ａは、磁気ヘッド３とパッドローラ９との間にカード２がないときに、Ｘ方向とＹ方向とから構成されるＸＹ平面と略平行になるように形成され、ヘッド固定平面部４ｂは、磁気ヘッド３とパッドローラ９との間にカード２がないときに、Ｚ方向とＸ方向とから構成されるＺＸ平面と略平行になるように形成されており、カード２の通過方向から見たときのヘッド保持板４の形状は略Ｌ形状となっている。また、ヘッド保持板４は、ステンレス鋼板等の薄い金属板を折り曲げることで形成されている。
【００２８】
ヘッド固定平面部４ｂの一端側（図１の右端側）は、被支持平面部４ａの一端（図１の右端）よりも図１の右方向へ突出しており、この突出した部分に磁気ヘッド３が接着等によって固定されている。ヘッド固定平面部４ｂの一端には、磁気ヘッド３の固定強度を高めるための接着用平面部４ｃがＹ方向へ折れ曲がるように形成されている。なお、本形態では、ヘッド保持板４にヘッド固定平面部４ｂが形成されているため、ヘッド保持板４が被支持平面部４ａからなる平板状に形成されている場合と比較して、ヘッド保持板４への磁気ヘッド３の固定強度を高めることが可能となっている。
【００２９】
ヘッド保持板４は、付勢部材としての板バネ１０に付勢されている。具体的には、ヘッド保持板４は、板バネ１０によって、磁気ヘッド３の先端部３ａとパッドローラ９とが接触する方向へ付勢されている。また、ヘッド保持板４の、第１支持部５が配置される部分と第２支持部６が配置される部分との間であって、第２支持部６に近い部分が、板バネ１０によって付勢されている。板バネ１０の一端側（図１の右端側）は、被支持平面部４ａの上面に形成された突起部４ｄ（図２参照）に接触している。また、板バネ１０の他端側は、カードリーダを構成するフレームに固定されている。なお、突起部４ｄは、ヘッド保持板４に形成される後述の貫通孔４ｅ（図３（Ａ）参照）と貫通孔４ｆ（図３（Ｂ）参照）とを結ぶ直線上、または、この直線の近傍に形成されている。
【００３０】
第１支持部５は、被支持平面部４ａの他端側（図１の左端側）を支持している。この第１支持部５は、被支持平面部４ａに形成された貫通孔４ｅ（図３（Ａ）参照）に挿通される第１支持ピン１２と、第１支持ピン１２が固定されるとともに被支持平面部４ａの下面が接触する第１接触部１３とを備えている。本形態では、第１支持ピン１２と第１接触部１３とは、別部材で形成されている。
【００３１】
第１支持ピン１２は、細長い円柱状に形成されている。第１支持ピン１２の外径は、貫通孔４ｅの内径よりも小さくなっている。第１接触部１３は、略円錐台状に形成される円錐台部１３ａと、円錐台部１３ａの上面に形成される扁平な略直方体状の直方体部１３ｂとから構成されている。直方体部１３ｂの上面は、被支持平面部４ａの下面が接触する第１支持面１３ｃとなっている。第１支持面１３ｃは、ＸＹ平面と略平行に形成されている。また、第１支持面１３ｃは、Ｙ方向の幅が狭くＸ方向の幅の広い長方形状に形成されている。
【００３２】
第２支持部６は、被支持平面部４ａの一端側（図１の右端側）を支持している。この第２支持部６は、被支持平面部４ａに形成された貫通孔４ｆ（図３（Ｂ）参照）に挿通される第２支持ピン１４と、第２支持ピン１４が固定されるとともに被支持平面部４ａの下面が接触する第２接触部１５とを備えている。本形態では、第２支持ピン１４と第２接触部１５とは、別部材で形成されている。
【００３３】
第２支持ピン１４は、第１支持ピン１２と同様に、細長い円柱状に形成されている。第２支持ピン１４の外径は、貫通孔４ｆの内径よりも小さくなっている。本形態では、第１支持ピン１２と第２支持ピン１４とは同形状に形成され、貫通孔４ｅと貫通孔４ｆとは同形状に形成されている。第２接触部１５は、扁平な略円柱状に形成されており、第２接触部１５の上面は、被支持平面部４ａの下面が接触する第２支持面１５ｃとなっている。第２支持面１５ｃは、ＸＹ平面と略平行に形成されている。また、第２支持面１５ｃは、円形状に形成されている。
【００３４】
第２支持面１５ｃの面積は、第１支持面１３ｃの面積よりも広くなっている。すなわち、第２支持面１５ｃと被支持平面部４ａとの接触面積は、第１支持面１３ｃと被支持平面部４ａとの接触面積よりも広くなっている。
【００３５】
第１支持ピン１２は、その上端側が突出するように第１接触部１３に固定され、第２支持ピン１４は、その上端側が突出するように第２接触部１５に固定されている。また、第１接触部１３から突出した第１支持ピン１２の上端側部分は、被支持平面部４ａの貫通孔４ｅに挿通され、第２接触部１５から突出した第２支持ピン１４の上端側部分は、被支持平面部４ａの貫通孔４ｆに挿通されている。そのため、第１支持ピン１２および貫通孔４ｅと、第２支持ピン１４および貫通孔４ｆとによって、Ｚ方向に直交する方向における被支持平面部４ａの移動が規制されている。また、被支持平面部４ａの下面に力を加えれば、被支持平面部４ａは、上方向へ移動する。
【００３６】
本形態では、上述のように、第１支持面１３ｃは、Ｙ方向の幅が狭くＸ方向の幅の広い長方形状に形成されている。具体的には、本形態では、第１支持面１３ｃは、カード２の通過方向（Ｘ方向）を揺動軸の軸方向とするヘッド保持板４の揺動（ローリング）が可能となる形状および広さに形成されており、第１接触部１３は、カード２の通過方向を揺動軸の軸方向とする磁気ヘッド３の揺動が可能となるようにヘッド保持板４を支持している。
【００３７】
また、本形態では、第２支持面１５ｃは、上述のように、円形状に形成されている。具体的には、第２支持面１５ｃは、磁気ヘッド３がカード２に摺接していないときの被支持平面部４ａがＸＹ平面と略平行になる形状および広さに形成されており、第２接触部１５は、カード２に摺接していないときの磁気ヘッド３の先端部３ａがパッドローラ９の上端と略平行になるようにヘッド保持板４を支持している。すなわち、第２接触部１５は、カード２に摺接していないときの磁気ヘッド３の先端部３ａがパッドローラ９の上端と正対するようにヘッド保持板４を支持している。
【００３８】
以上のように構成された磁気ヘッド保持機構１では、カード２が磁気ヘッド３とパッドローラ９との間に突入する前（磁気ヘッド３がカード２に摺接する前）には、図１（Ａ）に示すように、板バネ１０の付勢力で、被支持平面部４ａの下面が第１支持面１３ｃおよび第２支持面１５ｃに接触している。被支持平面部４ａの下面が第２支持面１５ｃに接触しているため、磁気ヘッド３がカード２に摺接する前には、図１（Ａ）、図２に示すように、磁気ヘッド３の先端部３ａは、パッドローラ９の上面と略平行になっている。また、被支持平面部４ａの下面が第２支持面１５ｃに接触しているため、磁気ヘッド３は、カード２の通過方向を揺動軸の軸方向とする揺動をしない。
【００３９】
一方、カード２が磁気ヘッド３とパッドローラ９との間に突入すると（磁気ヘッド３がカード２に摺接しているときには）、図１（Ｂ）に示すように、被支持平面部４ａの下面は、板バネ１０の付勢力で、第１支持面１３ｃに接触しているが、第２支持面１５ｃから離れる。また、第２支持ピン１４の外径は、貫通孔４ｆの内径よりも小さくなっている。したがって、磁気ヘッド３がカード２に摺接しているときには、カード２の通過方向を揺動軸の軸方向とする磁気ヘッド３の揺動が可能になる。
【００４０】
（磁気ヘッド保持機構の搭載例）
図４は、図１に示す磁気ヘッド保持機構１のカードリーダへの搭載例を説明するための斜視図である。図５は、図４に示すフレーム１７、第１支持ピン１２および第２支持ピン１４を抜き出して示す斜視図である。
【００４１】
上述のように、磁気ヘッド保持機構１は、カードリーダに搭載されて使用される。たとえば、図４に示すように、２個の磁気ヘッド保持機構１Ａ、１Ｂがカード２の幅方向で隣接配置されるように、磁気ヘッド保持機構１Ａ、１Ｂがカードリーダに搭載される。なお、カード２の幅方向における磁気ヘッド３Ａの幅と磁気ヘッド３Ｂの幅が異なる点、および、磁気ヘッド３Ａが固定されるヘッド固定平面部４ｂがカード２の幅方向における被支持平面部４ａの一端側に形成されているのに対して、磁気ヘッド３Ｂが固定されるヘッド固定平面部４ｂがカード２の幅方向における被支持平面部４ａの他端側に形成されている点で、磁気ヘッド機構保持１Ａと磁気ヘッド機構保持１Ｂとは相違する。
【００４２】
図４に示す例では、第１接触部１３および第２接触部１５は、カードリーダを構成するフレーム１７に一体で形成されている。すなわち、ヘッド保持板４は、フレーム１７に支持されている。フレーム１７は、たとえば、樹脂で形成されている。また、第１支持ピン１２と第２支持ピン１４とは同形状に形成されており、図５に示すように、第１支持ピン１２は、第１接触部１３の中心に形成された固定孔１３ｄに圧入等によって固定され、第２支持ピン１４は、第２接触部１５の中心に形成された固定孔１５ｄに圧入等によって固定されている。なお、フレーム１７は、アルミニウム等の金属で形成されても良い。
【００４３】
（本形態の主な効果）
以上説明したように、本形態では、第２接触部１５は、カード２に摺接していないときの磁気ヘッド３の先端部３ａがパッドローラ９の上端と略平行になるようにヘッド保持板４を支持している。そのため、磁気ヘッド保持機構１の組立時に、磁気ヘッド３の先端部３ａとパッドローラ９の上端とを略平行にするための特別な調整をしなくても、カード２に摺接する前の磁気ヘッド３の先端部３ａとパッドローラ９の上端とを略平行にすることが可能になる。したがって、本形態では、磁気ヘッド保持機構１の製造工程を簡素化しつつ、磁気ヘッド３の先端部３ａがカード２に摺接し始めた直後から磁気ヘッド３の先端部３ａをカード２に適切に追従させることが可能になり、磁気ヘッド３による磁気データの読取、記録精度を高めることが可能になる。
【００４４】
特に本形態では、カード２の通過方向から見たときのヘッド保持板４の形状が略Ｌ形状となっているため、ヘッド固定平面部４ｂの自重で、カード２に摺接する前の磁気ヘッド３の先端部３ａがパッドローラ９の上端に対して、図２の矢印Ｖの方向へ傾きやすくなるが、本形態では、カード２に摺接する前の磁気ヘッド３の先端部３ａとパッドローラ９の上端とを略平行にして、磁気ヘッド３による磁気データの読取、記録精度を高めることが可能になる。
【００４５】
また、本形態では、カード２に摺接する前の磁気ヘッド３の先端部３ａとパッドローラ９の上端とを略平行にすることが可能になるため、磁気ヘッド３の先端部３ａがカード２に摺接を始める際の、磁気ヘッド３へのカード２の片当たりを抑制することが可能になる。したがって、本形態では、磁気ヘッド３の偏摩耗等の不具合を防止することが可能になる。
【００４６】
本形態では、板バネ１０によって、磁気ヘッド３の先端部３ａとパッドローラ９の上端とが接触する方向へヘッド保持板４が付勢されており、磁気ヘッド３がカード２に摺接する前には、板バネ１０の付勢力で、被支持平面部４ａの下面が第２支持面１５ｃに接触している。そのため、板バネ１０の付勢力を利用して、カード２に摺接する前の磁気ヘッド３の先端部３ａとパッドローラ９の上端とを略平行に維持することが可能になる。特に本形態では、第１支持ピン１２が挿通される貫通孔４ｅと、第２支持ピン１４が挿通される貫通孔４ｆとを結ぶ直線上、または、この直線の近傍に形成された突起部４ｄに、板バネ１０の一端側が接触しているため、板バネ１０の付勢力を利用して、カード２に摺接する前の磁気ヘッド３の先端部３ａとパッドローラ９の上端とをより適切に略平行に維持することが可能になる。
【００４７】
本形態では、磁気ヘッド３がカード２に摺接しているときに、被支持平面部４ａの下面が第２支持面１５ｃから離れており、カード２の通過方向を揺動軸の軸方向とする磁気ヘッド３の揺動が可能になっている。そのため、カード２に摺接していないときの磁気ヘッド３の先端部３ａがパッドローラ９の上端と略平行になるように第２接触部１５がヘッド保持板４を支持していても、磁気ヘッド３がカード２に摺接しているときには、第２接触部１５の影響を排除して、磁気ヘッド３を揺動させ、カード２に適切に追従させることができる。したがって、本形態では、磁気ヘッド３に摺接するカード２が曲がっていたとしても、磁気データの読取、記録時には、曲がりカードに磁気ヘッド３を追従させて、磁気ヘッド３による磁気データの読取、記録精度を高めることが可能になる。
【００４８】
図４に示す磁気ヘッド保持機構１のカードリーダへの搭載例では、第１接触部１３および第２接触部１５が共通のフレーム１７に一体で形成されている。また、形状の異なる第１接触部１３および第２接触部１５がフレーム１７に形成されているため、第１支持ピン１２および第２支持ピン１４として同じ形状の支持ピンを使用することが可能になる。したがって、図４に示す例では、磁気ヘッド保持機構１の部品点数を削減することが可能になり、磁気ヘッド保持機構１の構成を簡素化するとともに、磁気ヘッド保持機構１の製造工程での煩雑さを低減することが可能になる。
【００４９】
（他の実施の形態）
上述した形態は、本発明の好適な形態の一例ではあるが、これに限定されるものではなく本発明の要旨を変更しない範囲において種々変形実施が可能である。
【００５０】
上述した形態では、ヘッド保持板４に平板状の被支持平面部４ａが形成され、第２支持部６にＸＹ平面に略平行な平面状の第２支持面１５ｃが形成されている。この他にもたとえば、第２支持面１５ｃと被支持平面部４ａとの接触面積が、第１支持面１３ｃと被支持平面部４ａとの接触面積よりも広くなって、カード２に摺接していないときの磁気ヘッド３の先端部３ａがパッドローラ９の上端と略平行になるように第２接触部１５がヘッド保持板４を支持するのであれば、被支持平面部４ａの、第２支持面１５ｃに接触する部分は、平板状に形成されていなくても良く、また、第２支持面１５ｃは、ＸＹ平面と略平行な平面状に形成されていなくても良い。たとえば、カード２の通過方向から見たときに、被支持平面部４ａの第２支持面１５ｃとの接触部分および第２支持面１５ｃがＶ形状になるように形成されても良い。ただし、被支持平面部４ａの第２支持面１５ｃとの接触部分が平板状に形成されるとともに、第２支持面１５ｃがＸＹ平面に略平行な平面状に形成されている場合には、比較的簡易な構成によって、第２支持部６で、カード２に摺接していないときの磁気ヘッド３の先端部３ａがパッドローラ９の上端と略平行になるようにヘッド保持板４を支持することができる。
【００５１】
上述した形態では、第１支持ピン１２と第１接触部１３とは、別部材で形成されているが、第１支持ピン１２と第１接触部１３とが一体で形成されても良い。同様に、第２支持ピン１４と第２接触部１５とは、別部材で形成されているが、第２支持ピン１４と第２接触部１５とが一体で形成されても良い。
【００５２】
上述した形態では、磁気ヘッド保持機構１は、ヘッド保持板４を支持する２個の第１支持部５および第２支持部６を備えている。この他にもたとえば、磁気ヘッド保持機構１は、第１支持部５および第２支持部６に加え、ヘッド保持板４を支持する支持部を第１支持部５と第２支持部６との間に備えていても良い。
【００５３】
上述した形態では、第１接触部１３の上面は、ＸＹ平面に略平行な第１支持面１３ｃとなっているが、第１接触部１３の上面は、上側に膨らむ凸曲面状に形成されても良い。また、上述した形態では、ヘッド保持板４は、カード２の通過方向から見たときの形状が略Ｌ形状となるように形成されているが、ヘッド保持板４は、被支持平面部４ａによって構成される平板状に形成されても良い。
【００５４】
上述した形態では、磁気ヘッド３の先端部３ａに対向する対向部材は、パッドローラ９であるが、磁気ヘッド３の先端部３ａに対向する対向部材は、カード２の走行面を形成するガイド部材であっても良い。また、上述した形態では、ヘッド保持板４は、板バネ１０に付勢されているが、ヘッド保持板４は、圧縮コイルバネ等の他のバネ部材によって付勢されても良いし、ゴム等の弾性部材によって付勢されても良い。
【符号の説明】
【００５５】
１  磁気ヘッド保持機構（カードリーダの磁気ヘッド保持機構）
２  カード
３  磁気ヘッド
３ａ  先端部
４  ヘッド保持板
４ａ  被支持平面部
４ｂ  ヘッド固定平面部
４ｅ、４ｆ  貫通孔
５  第１支持部
６  第２支持部
９  パッドローラ（対向部材）
１０  板バネ（付勢部材）
１２  第１支持ピン
１３  第１接触部
１４  第２支持ピン
１５  第２接触部
１５ｃ  第２支持面
１７  フレーム
Ｘ  カードの通過方向
【図１】
2011204320.tif 000003
【図２】
2011204320.tif 000004
【図３】
2011204320.tif 000005
【図４】
2011204320.tif 000006
【図５】
2011204320.tif 000007
【図６】
2011204320.tif 000008